(57)【要約】【課題】駐車場で入出場口が混雑することなく円滑に入出場でき、事前精算の際の利用者の負担もなく簡単に精算ができ、しかも不正利用を防止することができる駐車場管理方法および装置を提供すること。【解決手段】駐車場入場時に車両固有の車両識別情報を取得すると同時に、入場時刻として取得し、駐車マスへの入庫後に駐車券を発行すると同時に駐車券発行時刻を取得し、この駐車券で事前精算時に駐車券発行時刻とこの精算時刻とから駐車料金を求めて精算を行って精算済み情報を取得し、駐車場出場時に車両固有の車両識別情報を取得すると同時に、出場口到達時刻を取得し、精算済み情報や入場時刻と駐車券発行時刻との時間、精算時刻と出場口到達時刻との時間に基づき駐車場の正規利用と不正利用との利用形態を判断して管理する。これにより、入場口で駐車券の発行を必要とせずに混雑を解消でき、事前精算時には、車両番号の入力などを必要とせずに精算ができ、出場口で精算の必要がなく駐車券の投入で不正を判断して出場させ、混雑を解消する。【選択図】  図５
2004295511.tif 000002
【特許請求の範囲】
【請求項１】
駐車場入場時に車両固有の車両識別情報を取得すると同時に、この車両識別情報を取得した時刻を入場時刻として取得し、駐車マスへの入庫後に駐車券を発行すると同時に駐車券発行時刻を取得する一方、事前精算時に前記駐車券による駐車券発行時刻とこの精算時刻とから駐車料金を求めて精算し、精算時刻と精算済み情報とを取得し、駐車場出場時に車両固有の車両識別情報を取得すると同時に、取得した時刻を出場口到達時刻として取得し、前記各時刻と前記精算済み情報とに基づき駐車場の正規利用と不正利用との利用形態を判断して管理することを特徴とする駐車場管理方法。
【請求項２】
前記不正利用を、前記入場時刻から前記駐車券発行時刻までの時間が予め定めた入場後猶予時間を超えていることで判断し、この時間の駐車料金の支払いを確認した後出場を許容するよう管理することを特徴とする請求項１記載の駐車場管理方法。
【請求項３】
前記不正利用を、前記精算時刻から前記出場口到達時刻までが予め定めた精算後猶予時間を超えていることで判断し、この時間の駐車料金の支払いを確認後出場を許容するよう管理することを特徴とする請求項１または２記載の駐車場管理方法。
【請求項４】
前記不正利用を、前記事前精算が行われていない車両とし、前記駐車券発行時刻と前記出場口到達時刻とから駐車料金を算出し、支払いを確認後出場を許容するよう管理することを特徴とする請求項１〜３のいずれかに記載の駐車場管理方法。
【請求項５】
前記入場後猶予時間と前記精算後猶予時間との少なくともいずれか一方を任意に設定して管理することを特徴とする請求項１〜４のいずれかに記載の駐車場管理方法。
【請求項６】
前記駐車券に、前記駐車券発行時刻および事前精算時の前記精算時刻と前記精算済み情報を書き込むようにし、前記駐車場出場時にこの駐車券に書き込まれた情報を読み取って前記利用形態の判断を行って管理することを特徴とする請求項１〜５のいずれかに記載の駐車場管理方法。
【請求項７】
前記駐車場入場時および出場時に取得する前記車両識別情報を、車両のナンバープレートから取得して管理することを特徴とする請求項１〜６のいずれかに記載の駐車場管理方法。
【請求項８】
前記駐車場入場時および出場時に取得する前記車両識別情報を、車両から無線で送信される識別コードから取得して管理することを特徴とする請求項１〜６のいずれかに記載の駐車場管理方法。
【請求項９】
前記駐車券に代え、利用者所有の識別情報を備えたカードを用い、このカードを読み込んで前記駐車券発行時刻に相当するその読み込み時刻を取得するとともに、事前精算時および駐車場出場時にこのカードの識別情報を読み込んで前記精算および前記利用形態の判断を行って管理することを特徴とする請求項１〜８のいずれかに記載の駐車場管理方法。
【請求項１０】
前記利用者所有のカードに、前記読み込み時刻および事前精算時の前記精算時刻と前記精算済み情報を書き込むようにし、前記駐車場出場時にこのカードに書き込まれた情報を読みとって前記利用形態の判断を行って管理することを特徴とする請求項９記載の駐車場管理方法。
【請求項１１】
駐車場の入口に設けられ入場する車両固有の車両識別情報を取得するとともに、この取得時刻を入場時刻として取得する車両識別情報取得手段と、駐車マスへの入庫後に駐車券を発行するとともに、その発行時刻を駐車券発行時刻として取得する駐車券発行手段と、この駐車券により駐車料金を事前精算するとともに、その精算時刻および精算済み情報を取得する事前精算手段と、駐車場の出口に設けられ出場する車両固有の車両識別情報を取得するとともに、この取得時刻を出場口到達時刻として取得する車両識別情報取得手段と、駐車場の出口に設けられ前記駐車券が投入され出場情報を検出する出場情報検出手段と、これら各手段から取得した各時刻および各情報を記録するとともに、これら各時刻および各情報に基づき駐車場の正規利用と不正利用との利用形態を判断して管理する中央制御管理手段とを具備することを特徴とする駐車場管理装置。
【請求項１２】
前記駐車券発行手段に代え、利用者所有の識別情報を備えたカードを読み込んでその識別情報を取得するとともに、前記駐車券発行時刻に代えてその読み込み時刻を取得するカード読み込み手段を設ける一方、前記事前精算手段および前記出口情報検出手段にカード読み取り手段を設けたことを特徴とする請求項１１記載の駐車場管理装置。
【請求項１３】
前記駐車場の入口および出口に設けられる前記車両識別情報取得手段を、車両のナンバープレートを読み取るナンバープレート読み取り手段で構成したことを特徴とする請求項１１または１２記載の駐車場管理装置。
【請求項１４】
前記駐車場の入口および出口に設けられる前記車両識別情報取得手段を、車両から無線で送信される識別情報を受信する車両識別情報受信手段で構成したことを特徴とする請求項１１〜１３のいずれかに記載の駐車場管理装置。
【発明の詳細な説明】
【０００１】
【発明の属する技術分野】
この発明は駐車場管理方法および装置に関し、駐車場の入出場口での混雑を解消できるとともに、事前精算が簡単にでき、しかも不正利用をシステム上で防止できるようにしたものである。
【０００２】
【従来の技術】
従来から有料駐車場の入場から精算を行って出場するまでを管理する管理システムや管理装置については種々提案がなされいる。
【０００３】
このような駐車場管理システムの一例としては、例えば特許文献１に開示されたものがある。この駐車場管理システムでは、駐車場の駐車エリア毎に撮影手段を設け、車両が入場すると、撮影手段により撮影された駐車車両の映像が車番認識手段に送られ、車両番号の認識処理が行われて入場時刻とともに駐車情報記憶手段に記憶する。一方、出場時には、車番認識手段で検知した出場時刻と、記憶された情報に基づいて駐車料金の算出および精算処理を行い、さらに、精算処理結果に基づいて出場判定手段で出場の正当性を判定して出場させるようにしている。
【０００４】
また、特許文献２に開示された駐車場管理システムでは、入場する車両に対してナンバーを撮影するとともに駐車券を発行して、管理室の中央処理装置に車両のナンバーと駐車券ナンバーと入庫時刻とを登録し、駐車券に基づいて中間精算を行っている。一方、出場時には、ナンバーを撮影して出庫時刻を登録し、必要な場合に最終的な自動精算を行って出場させるようにしており、駐車券およびレシートに基づいて駐車場付設体のサービス部署での精算や割引処理が容易にできるようにしている。
【０００５】
さらに、特許文献３の駐車場の管理装置では、駐車場の入場口にナンバー認識手段を設置し、この認識された車両ナンバーとともに、その入庫時刻を認識してデータベースに登録している。一方、出庫に際してはその出庫する車両の乗員が操作できる位置に前精算手段を設置し、自己の車両のナンバーを手動入力させ、この入力された車両ナンバーに基づきデータベースを検索して、この車両の入庫時刻と前精算手段における入力時刻に基づいて駐車料金を算出し、その表示された料金を支払って出庫が許容されるようになっている。
【０００６】
【特許文献１】
特開平１０―２７５２５７号公報
【特許文献２】
特開平９―７０１４号公報
【特許文献３】
特開平９  −１６０９６６  号公報
【０００７】
【発明が解決しようとする課題】
ところが、特許文献１に記載の駐車場管理システムでは、入場時刻と出場時刻を撮影手段と車番認識手段とで読み取ることから利用者は何もすることはないが、駐車場の出場口で精算する必要があり、出場に時間がかかり、出場口での混雑が生じる問題がある。
【０００８】
また、特許文献２に記載の駐車場管理システムでは、入場時に車両を撮影してナンバーを管理するとともに、駐車券を発行して管理するようにし、駐車券を用いた事前精算を行うことで出口での混雑を解消できるものの、入場口での駐車券の発行のため混雑が生じる問題がある。
【０００９】
さらに、特許文献３の駐車場の管理装置では、入場口での駐車券の発行を必要とせず、しかも出場口での精算の必要がなく、入出場口での混雑は解消できる。しかし、事前精算の際に利用者が自己の車両番号を入力する必要があり、利用者が車両番号を覚えておかなければならず、特に自分の所有する車両以外の会社などの社用車や公用車などを運転する場合には、利用者への負担が大きく煩雑になるという問題がある。
【００１０】
この発明はかかる従来技術の問題点に鑑みてなされたもので、駐車場で入出場口が混雑することなく円滑に入出場でき、事前精算の際の利用者の負担もなく簡単に精算ができ、しかも不正利用を防止することができる駐車場管理方法および装置を提供しようとするものである。
【００１１】
【課題を解決するための手段】
上記従来技術が有する課題を解決するため、この発明の請求項１記載の駐車場管理方法は、  駐車場入場時に車両固有の車両識別情報を取得すると同時に、この車両識別情報を取得した時刻を入場時刻として取得し、駐車マスへの入庫後に駐車券を発行すると同時に駐車券発行時刻を取得する一方、事前精算時に前記駐車券による駐車券発行時刻とこの精算時刻とから駐車料金を求めて精算し、精算時刻と精算済み情報とを取得し、駐車場出場時に車両固有の車両識別情報を取得すると同時に、取得した時刻を出場口到達時刻として取得し、前記各時刻と前記精算済み情報とに基づき駐車場の正規利用と不正利用との利用形態を判断して管理することを特徴とするものである。
この駐車場管理方法によれば、駐車場入場時に車両固有の車両識別情報を取得すると同時に、この車両識別情報を取得した時刻を入場時刻として取得しておき、駐車マスへの入庫後に駐車券を発行すると同時に駐車券発行時刻を取得するようにし、この駐車券で、事前精算時に駐車券発行時刻とこの精算時刻とから駐車料金を求めて精算を行って精算時刻と精算済み情報を取得するようにし、駐車場出場時に車両固有の車両識別情報を取得すると同時に、取得した時刻を出場口到達時刻として取得し、精算済み情報や入場時刻と駐車券発行時刻との時間、精算時刻と出場口到達時刻との時間に基づき駐車場の正規利用と不正利用との利用形態を判断して管理するようにしている。また、入場口では、車両番号などの車両識別情報を検出するだけで駐車券の発行を必要とせずに混雑を解消でき、精算時には、車両番号の入力などを必要とせずに駐車券により精算ができ、出場口では、精算の必要がなく、駐車券の投入などによって出場させることで混雑を解消できる。さらに、駐車券の発行を遅らせることや事前に精算することによる不正を、入場から駐車券発行までの時間や精算後出場までの時間で判断することで不正利用も容易に判断でき、これにより、不正発生も防止できるようにしている。
【００１２】
また、この発明の請求項２記載の駐車場管理方法は、請求項１記載の構成に加え、前記不正利用を、前記入場時刻から前記駐車券発行時刻までの時間が予め定めた入場後猶予時間を超えていることで判断し、この時間の駐車料金の支払いを確認した後出場を許容するよう管理することを特徴とするものである。
この駐車場管理方法によれば、前記不正利用を、前記入場時刻から前記駐車券発行時刻までの時間が予め定めた入場後猶予時間を超えていることで判断し、この時間の駐車料金の支払いを確認した後出場を許容するよう管理しており、駐車券の発行を遅らすことによる不正も防止して管理できるようになる。
【００１３】
さらに、この発明の請求項３記載の駐車場管理方法は、請求項１または２記載の構成に加え、前記不正利用を、前記精算時刻から前記出場口到達時刻までが予め定めた精算後猶予時間を超えていることで判断し、この時間の駐車料金の支払いを確認後出場を許容するよう管理することを特徴とするものである。
この駐車場管理方法によれば、前記不正利用を、前記精算時刻から前記出場口到達時刻までが予め定めた精算後猶予時間を超えていることで判断し、この時間の駐車料金の支払いを確認後出場を許容するよう管理しており、精算後の不正利用も防止して管理できるようになる。
【００１４】
また、この発明の請求項４記載の駐車場管理方法は、請求項１〜３のいずれかに記載の構成に加え、前記不正利用を、前記事前精算が行われていない車両とし、前記駐車券発行時刻と前記出場口到達時刻とから駐車料金を算出し、支払いを確認後出場を許容するよう管理することを特徴とするものである。
この駐車場管理方法によれば、前記不正利用を、前記事前精算が行われていない車両とし、前記駐車券発行時刻と前記出場口到達時刻とから駐車料金を算出し、支払いを確認後出場を許容するよう管理しており、事前精算を忘れたり、意図的に事前精算をしない場合でも料金の徴収などを簡単にできるようにしている。
【００１５】
さらに、この発明の請求項５記載の駐車場管理方法は、前記入場後猶予時間と前記精算後猶予時間との少なくともいずれか一方を任意に設定して管理することを特徴とするものである。
この駐車場管理方法によれば、前記入場後猶予時間と前記精算後猶予時間との少なくともいずれか一方を任意に設定して管理するようにしており、入場後猶予時間を長くして商店やデパートなどの付設された駐車場などのように利用者のほとんどが駐車券を取らずに無料で利用できるようにした。さらに、精算後猶予時間を駐車場に隣接する道路の渋滞状況により設定するなど駐車場の様々な運営方法を採用することができるようになる。
【００１６】
また、この発明の請求項６記載の駐車場管理方法は、前記駐車券に、前記駐車券発行時刻および事前精算時の前記精算時刻と前記精算済み情報を書き込むようにし、前記駐車場出場時にこの駐車券に書き込まれた情報を読み取って前記利用形態の判断を行って管理することを特徴とするものである。
この駐車場管理方法によれば、前記駐車券に、前記駐車券発行時刻および事前精算時の前記精算時刻と前記精算済み情報を書き込むようにし、前記駐車場出場時にこの駐車券に書き込まれた情報を読み取って前記利用形態の判断を行って管理するようにした。このように駐車券に各時刻や各情報を書き込むことで中央管理装置での記憶容量などを小さくしたり、中央管理装置のバックアップとして利用できるようになる。
【００１７】
さらに、この発明の請求項７記載の駐車場管理方法は、請求項１〜６のいずれかに記載の構成に加え、前記駐車場入場時および出場時に取得する前記車両識別情報を、車両のナンバープレートから取得して管理することを特徴とするものである。
この駐車場管理方法によれば、前記駐車場入場時および出場時に取得する前記車両識別情報を、車両のナンバープレートから取得して管理するようにしており、画像処理などによって簡単に車両識別情報を取得できるようになる。
【００１８】
また、この発明の請求項８記載の駐車場管理方法は、前記駐車場入場時および出場時に取得する前記車両識別情報を、車両から無線で送信される識別コードから取得して管理することを特徴とするものである。
この駐車場管理方法によれば、前記駐車場入場時および出場時に取得する前記車両識別情報を、車両から無線で送信される識別コードから取得して管理するようにした。これにより高速道路の料金徴収に用いられているＥＴＣ等の車載機、無線ＩＣチップを備えたナンバープレート、車両に取り付けた無線ＩＣチップを備えたタグ、車両内の携帯電話等、車両から送信される識別情報を受信することで簡単に識別情報を取得できるようになる。
【００１９】
さらに、この発明の請求項９記載の駐車場管理方法は、請求項１〜８のいずれかに記載の構成に加え、前記駐車券に代え、利用者所有の識別情報を備えたカードを用い、このカードを読み込んで前記駐車券発行時刻に相当するその読み込み時刻を取得するとともに、事前精算時および駐車場出場時にこのカードの識別情報を読み込んで前記精算および前記利用形態の判断を行って管理することを特徴とするものである。
この駐車場管理方法によれば、前記駐車券に代え、利用者所有の識別情報を備えたカードを用い、このカードを読み込んで前記駐車券発行時刻に相当するその読み込み時刻を取得するとともに、事前精算時および駐車場出場時にこのカードの識別情報を読み込んで前記精算および前記利用形態の判断を行って管理するようにした。したがって、利用者が所有しているカード、クレジットカードなどの会員カード、ＪＲで使われているスイカカード、ＩＣチップなどを有するＩＣ機能つき携帯電話、ＩＣ機能つき免許証などのカードの識別情報を読み取ることで、駐車券を発行することなく同様の管理ができるようになり、利用者は駐車券を持ち歩くなどの管理の必要がなく、駐車場側は駐車券自体の供給・回収などを行う必要をなくすことができるようになる。
【００２０】
また、この発明の請求項１０記載の駐車場管理方法は、請求項９記載の構成に加え、前記利用者所有のカードに、前記読み込み時刻および事前精算時の前記精算時刻と前記精算済み情報を書き込むようにし、前記駐車場出場時にこのカードに書き込まれた情報を読みとって前記利用形態の判断を行って管理することを特徴とするものである。
この駐車場管理方法によれば、前記利用者所有のカードに、前記読み込み時刻および事前精算時の前記精算時刻と前記精算済み情報を書き込むようにし、前記駐車場出場時にこのカードに書き込まれた情報を読みとって前記利用形態の判断を行って管理するようにした。これにより、カードに各時刻や各情報を書き込むことで中央管理装置での記憶容量などを小さくしたり、中央管理装置のバックアップとして利用できるようになる。
【００２１】
さらに、この発明の請求項１１記載の駐車場管理装置は、  駐車場の入口に設けられ入場する車両固有の車両識別情報を取得するとともに、この取得時刻を入場時刻として取得する車両識別情報取得手段と、駐車マスへの入庫後に駐車券を発行するとともに、その発行時刻を駐車券発行時刻として取得する駐車券発行手段と、この駐車券により駐車料金を事前精算するとともに、その精算時刻および精算済み情報を取得する事前精算手段と、駐車場の出口に設けられ出場する車両固有の車両識別情報を取得するとともに、この取得時刻を出場口到達時刻として取得する車両識別情報取得手段と、駐車場の出口に設けられ前記駐車券が投入され出場情報を検出する出場情報検出手段と、これら各手段から取得した各時刻および各情報を記録するとともに、これら各時刻および各情報に基づき駐車場の正規利用と不正利用との利用形態を判断して管理する中央制御管理手段とを具備することを特徴とするものである。
この駐車場管理装置によれば、駐車場の入口に設けられ入場する車両固有の車両識別情報を取得するとともに、この取得時刻を入場時刻として取得する車両識別情報取得手段と、駐車マスへの入庫後に駐車券を発行するとともに、その発行時刻を駐車券発行時刻として取得する駐車券発行手段と、この駐車券により駐車料金を事前精算するとともに、その精算時刻および精算済み情報を取得する事前精算手段と、駐車場の出口に設けられ出場する車両固有の車両識別情報を取得するとともに、この取得時刻を出場口到達時刻として取得する車両識別情報取得手段と、駐車場の出口に設けられ前記駐車券が投入され出場情報を検出する出場情報検出手段と、これら各手段から取得した各時刻および各情報を記録するとともに、これら各時刻および各情報に基づき駐車場の正規利用と不正利用との利用形態を判断して管理する中央制御管理手段とを具備して構成している。これにより、駐車場入場時に車両識別情報取得手段で車両固有の車両識別情報を取得すると同時に、この車両識別情報を取得した時刻を入場時刻として取得しておき、駐車マスへの入庫後に駐車券発行手段で駐車券を発行すると同時に駐車券発行時刻を取得するようにし、この駐車券で、事前精算時に駐車券発行時刻とこの精算時刻とから駐車料金を求めて事前精算手段で精算を行って精算済み情報を取得するようにし、駐車場出場時に車両識別情報取得手段で車両固有の車両識別情報を取得すると同時に、取得した時刻を出場口到達時刻として取得し、中央制御管理手段で精算済み情報や入場時刻と駐車券発行時刻との時間、精算時刻と出場口到達時刻との時間に基づき駐車場の正規利用と不正利用との利用形態を判断して管理する。したがって、入場口では、車両番号などの車両識別情報を検出するだけで駐車券の発行を必要とせずに混雑を解消でき、精算時には、車両番号の入力などを必要とせずに駐車券により精算ができる。一方、出場口では、精算の必要がなく、駐車券の投入などによって出場させることで混雑を解消でき、駐車券の発行を遅らせることや事前に精算することによる不正を、入場から駐車券発行までの時間や精算後出場までの時間で判断することで容易に判断でき、これにより、不正発生も防止できるようにしている。
【００２２】
また、この発明の請求項１２記載の駐車場管理装置は、請求項１１記載の構成に加え、前記駐車券発行手段に代え、利用者所有の識別情報を備えたカードを読み込んでその識別情報を取得するとともに、前記駐車券発行時刻に代えてその読み込み時刻を取得するカード読み込み手段を設ける一方、前記事前精算手段および前記出場情報検出手段にカード読み取り手段を設けたことを特徴とするものである。
この駐車場管理装置によれば、前記駐車券発行手段に代え、利用者所有の識別情報を備えたカードを読み込んでその識別情報を取得するとともに、前記駐車券発行時刻に代えてその読み込み時刻を取得するカード読み込み手段を設ける一方、前記事前精算手段および前記出場情報検出手段にカード読み取り手段を設けるようにしている。これにより、利用者が所有しているカード、クレジットカードなどの会員カード、ＪＲで使われているスイカカード、ＩＣチップなどを有するＩＣ機能つき携帯電話、ＩＣ機能つき免許証などのカードの識別情報を利用することで駐車券を発行することなく、駐車券発行手段や事前精算機、出場情報検出手段に設けたカード読み取り手段で読み取ることができる。このため駐車券の場合と同様の管理ができるようになり、利用者が駐車券を持ち歩くなどの管理の必要がなく、駐車場側は駐車券自体の供給・回収などを行う必要をなくすことができるようになる。
【００２３】
さらに、この発明の請求項１３記載の駐車場管理装置は、請求項１１または１２記載の構成に加え、前記駐車場の入口および出口に設けられる前記車両識別情報取得手段を、車両のナンバープレートを読み取るナンバープレート読み取り手段で構成したことを特徴とするものである。
この駐車場管理装置によれば、前記駐車場の入口および出口に設けられる前記車両識別情報取得手段を、車両のナンバープレートを読み取るナンバープレート読み取り手段で構成する。したがって、ナンバープレーと読み取り手段による画像処理などによって簡単に車両識別情報を取得できるようになる。
【００２４】
また、この発明の請求項１４記載の駐車場管理装置は、請求項１１〜１３のいずれかに記載の構成に加え、前記駐車場の入口および出口に設けられる前記車両識別情報取得手段を、車両から無線で送信される識別情報を受信する車両識別情報受信手段で構成したことを特徴とするものである。
この駐車場管理装置によれば、高速道路の料金徴収に用いられているＥＴＣ等の車載機、無線ＩＣチップを備えたナンバープレート、車両に取り付けた無線ＩＣチップを備えたタグ、車両内の携帯電話等、車両から送信される識別情報を、車両識別情報受信手段で受信することで簡単に識別情報を取得できるようになる。
【００２５  】
【発明の実施の形態】
以下、この発明の実施の形態について、図面を参照しながら詳細に説明する。
【００２６】
図１はこの発明の駐車場管理装置の一実施の形態にかかる概略配置図であり、ここでは、平置きの自走式駐車場に適用した場合を図示してあるが、自走式立体駐車場や平置きの駐車場内に二段式や多段式の機械式駐車場を組み合わせた駐車場などに適用することもできる。
【００２７】
この駐車場管理装置では、図１に示すように、駐車場１０の入場口１１には、入口ゲート開閉装置１２を備えた入口ゲートバー１３が設けられるとともに、車両固有の識別情報（車両識別情報）および入場時刻を取得する車両識別情報取得手段を構成する車両情報取得装置１４が設けられており、この車両情報取得装置１４と入口ゲ−ト開閉装置１２が接続されている。
また、この車両情報取得装置１４には、中央制御管理手段を構成する中央管理システム３０が接続されており、取得した車両識別情報として車両番号などと入場時刻を記録できるようになっている。
【００２８】
さらに、駐車場の出場口１５には、出口ゲート開閉装置１６を備えた出口ゲートバー１７が設けられるとともに、車両固有の識別情報（車両識別情報）を取得する車両識別情報取得手段を構成する車両情報取得装置１８が設けられている。
この車両情報取得装置１８も同様に、中央制御管理手段を構成する中央管理システム３０と接続されており、取得した車両固有の識別情報、例えば車両番号などと出場口到達時刻とを取得して記憶できるようになっている。
【００２９】
また、出口ゲート開閉装置１６の近傍には、出場情報検出手段を構成する出場情報検出装置１９が設けられて出口ゲート開閉装置１６および中央管理システム３０と接続されている。
【００３０】
さらに、駐車場１０内には、車両を駐車するスペースとなる駐車マス２０が複数設けられるとともに、駐車マス２０の近傍に少なくとも１台（図示例では２台）の駐車券発行手段を構成する駐車券発行機２１が設置してあり、これら駐車券発行機２１も中央管理システム３０に接続されている。
また、駐車場１０の利用者出入口２２の近傍などには、事前に駐車料金を精算する事前精算手段を構成する事前精算機２３が少なくとも１台（図示例では２台）設置してある。
【００３１】
さらに、この駐車場管理装置には、車両識別情報、入場時刻、出場口到達時刻などの各時刻の記憶や処理、各装置の制御管理のため設けられた中央制御管理手段を構成する中央管理システム３０と各装置である入場口側の車両情報取得装置１４、出場口側の車両情報取得装置１８、出場情報検出装置１９、駐車券発行機２１、事前精算機２３とが有線、無線等所要の手段でデータ通信が可能となっている。
【００３２  】
中央制御管理手段を構成する中央管理システム３０は、図２に示すように、中央管理システム情報部３１、管理用プログラム３２、情報記憶用プログラム３３、演算装置３４、記憶装置３５、時計装置３６、通信装置３７などを具備している。
【００３３】
そして、中央管理システム情報部３１は、車両情報部Ｓ１‐１、駐車券情報部Ｓ１−２、一時記憶部３８等を有している。
【００３４】
また、管理用プログラム３２には、所要の演算プログラム、シーケンスを実行するシーケンスプログラム、駐車の正規利用、不正利用の利用形態を判断する判断プログラム等の制御管理に必要な種々のプログラムが格納され、情報記憶用プログラム３３には、駐車場の制御管理に必要な情報を記録するため種々のプログラムが格納されている。
【００３５】
さらに、演算装置３４では、所要の演算、シーケンスの実行、正規利用や不正利用の利用形態の判断、駐車料金の演算など駐車場の各機器の制御、管理などに必要な演算などが行われる。記憶装置３５は、駐車場の各機器の制御、管理などに必要な情報を一時的に記憶する。時計装置３６は、駐車場の管理に必要な時刻の計測に用いられる。通信装置３７は、駐車場の各機器の制御、管理などに必要な情報の伝達を行う。
なお、出場口１５付近に設置される管理人室には、駐車場１０の各駐車マス２０など全体を監視する監視カメラのモニターとビデオ装置が設けてあり、常時監視するとともに、画像を記録できるようになっている。
【００３６】
次に、この駐車場管理装置の中央管理システム３０の動作とともに、駐車場の管理方法を図３および図４に示すフロー図により具体的に説明する。
図３および図４はこの発明の駐車場管理方法の一実施の形態にかかる管理方法のフロー図であり、図３は前半部分を、図４は後半部分をそれぞれ示すものである。
【００３７】
この駐車場１０では、入場しようとする車が入場口１１の入口ゲートバー１３の手前に停車すると、車両情報取得装置１４が車両固有の車両識別情報を取得すると同時に、その取得時刻を入場時刻として設定して取得する。
【００３８】
この車両識別情報としては、例えば車両番号が用いられ、車両情報取得装置１４を撮影装置と画像処理装置とで構成し、撮影した画像を処理することで車両番号を取得するようにする。そして、この車両識別情報の取得時刻を時計装置によって計測し、入場時刻として設定する。
なお、車両識別情報は、車両のナンバープレートから読み取る車両番号を用いるほか、高速道路の料金徴収に用いられているＥＴＣ等の車載機から送信される識別情報、無線ＩＣチップを備えたナンバープレートから送信される識別情報、車両に取り付けた無線ＩＣチップを備えたタグから送信される識別情報、車両内の携帯電話から送信される識別情報等を用いるようにし、これらの車両から送信される識別情報を車両識別情報受信手段で受信することで取得するようにしても良い。
【００３９】
こうして入場口１１で車両識別情報と入場時刻が取得されると、中央管理システム３０に送られ、中央管理システム情報部３１の車両情報部Ｓ１−１に車両識別情報と入場時刻を関連付けて記録する。これと同時に、入口ゲート開閉装置１２に入場を許可する信号が送信され、入口ゲートバー１３が開かれ、車の入場が可能となる。
これにより、入場口１１からは自由に入場はできるが、逆方向からの出場は制限される。
【００４０】
このようにして駐車場１０に車の入場が行われるが、利用者は入場のための操作や手続は何ら必要なく、入口ゲートバー１３が開くまで入場口１１に一旦停車し、入口ゲートバー１３が開いて入場が許可された後入場するだけで良く、入場口１１での混雑もなく円滑に入場することができる。
【００４１】
こうして入場した車は、所望の空いている駐車マス２０に入庫される。
【００４２】
所望の駐車マス２０に駐車した利用者は、この駐車マス２０に隣接する駐車券発行機２１の所に行き、駐車券の発行操作を行う。
すると、駐車券発行機２１では、発行する駐車券に駐車券番号を書き込むとともに、この駐車券の発行時刻を設定し、利用者に駐車券を発行する。
こうして駐車券を取得した利用者は、駐車場１０の利用者出入口２２から出て駐車状態が継続することになる。
なお、駐車券発行機２１では、駐車券に駐車券番号を書き込むようにする場合に限らず、予め駐車券番号を付けてある駐車券の駐車券番号を読み込むようにしても良い。
また、駐車券に駐車券番号と駐車券発行時刻を書き込んで記録しておくようにしても良く、これにより、中央管理システム３０の記憶容量を小さくしたり、中央管理システム３０のバックアップとして利用することもできる。
【００４３】
発行された駐車券を利用者が駐車券発行機２１から抜き取ると、駐車券抜き取り信号を駐車券発行機２１が検知し、中央管理システム３０に駐車券番号と駐車券発行時刻を送信する。
すると、中央管理システム３０では、駐車券情報部Ｓ１−２に駐車券番号と駐車券発行時刻を関連付けて記録する。
【００４４】
このように駐車場１０の入場口１１で駐車券を発行せず、駐車マス２０に入庫して駐車状態となった後、遅れて駐車券を発行することから、これにより、不正利用の形態のひとつとして、利用者が駐車マス２０への入庫後時間をおいて駐車券の発行操作を行うことによる不正利用が生じる恐れがあり、特に駐車後出庫前に駐車券の発行操作を行う場合には、大部分の駐車料金の支払いを受けることができなくなってしまうことになる。
そこで、駐車場１０への入場時刻と駐車券発行時刻との間の時間を入場後猶予時間として管理することで、後で説明するように、不正利用を防止、解消できるようにしている。
【００４５】
所望の用事などを行って駐車場１０に戻った利用者は、駐車券により駐車料金の事前精算を行う。
この利用者が利用者出入口２２付近などの駐車場１０内に設置された事前精算機２３に駐車券を投入すると、事前精算機２３では、駐車券番号ｋを読み取る。
なお、駐車券に駐車券番号のほか駐車発行時刻が書き込まれている場合には、これらの情報も読み取るようにしても良い。
駐車券番号を読み取った事前精算機２３は、精算の要求がなされた時刻を精算時刻として設定し、一時記憶部に記憶するとともに、駐車券番号ｋも一時記憶部に記憶する。
この後、事前精算機２３では、中央管理システム情報部３１の駐車券情報部Ｓ１−１を参照し、駐車券番号ｋに関連した駐車券発行時刻を検索して一時記憶部に記憶したのち、一時記憶部の精算時刻と駐車券発行時刻とに基づいて駐車料金を算出し、事前精算機２３に表示される。
【００４６】
こうして事前精算機２３に駐車料金が表示された後、利用者による支払いが行われると、駐車料金の支払いが確認されたのち、事前精算機２３では、少なくとも精算済みであることの情報である精算済み情報と精算時刻が一時記憶部に記憶され、中央管理システム３０に駐車券番号、精算時刻、精算済み情報が送信され、駐車券が利用者に返却される。
すると、中央管理システム３０では、中央管理システム情報部３１の駐車券情報部Ｓ１−１の駐車券情報に、少なくとも精算時刻と精算済み情報を駐車券番号と関連付けて記録する。
なお、精算時刻と精算済み情報を駐車券に書き込むようにしても良く、これにより中央管理システム３０の記憶容量を小さくしたり、バックアップとして利用することができ、信頼性を高めることができる。
【００４７】
返却された駐車券を取得した利用者は、駐車マス２０に戻り出庫する。
【００４８】
出庫した利用者は、出場口１５の出口ゲートバー１７の手前に車を停車し、出場情報検出装置１９に駐車券を投入する。
すると、車両情報取得装置１８では、車両固有の車両識別情報を取得すると同時に、その取得時刻を出場口到達時刻として設定して取得する。
この車両識別情報としては、入場口１１での場合と同様に、例えば車両番号が用いられ、車両情報取得装置１８を撮影装置と画像処理装置とで構成し、撮影した画像を処理することで車両番号を取得するようにする。そして、この車両識別情報の取得時刻を時計装置によって計測し、出場口到達時刻として設定する。
なお、車両識別情報も、入場口１１での場合と同様に、車両のナンバープレートから読み取る車両番号を用いるほか、高速道路の料金徴収に用いられているＥＴＣ等の車載機から送信される識別情報、無線ＩＣチップを備えたナンバープレートから送信される識別情報、車両に取り付けた無線ＩＣチップを備えたタグから送信される識別情報、車両内の携帯電話から送信される識別情報等を用いるようにし、これらの車両から送信される識別情報を車両識別情報受信手段で受信することで取得するようにしても良い。
【００４９】
こうして出場口１５で車両識別情報と出場口到達時刻が取得されると、中央管理システム３０に送られ、中央管理システム情報部３１の一時記憶部３８に出場口到達時刻を記憶し、車両情報部Ｓ１−１の車両識別情報に関連付けられた情報を検索する。
そして、車両情報部Ｓ１−１の車両識別情報に関連付けて出場口到達時刻を記録する。これと同時に、この車両識別情報に関連した入場時刻を検索し、一時記憶部へ記憶する。
【００５０】
一方、出場情報検出装置１９では、駐車券から駐車券番号ｋを読み込み、中央管理システム３０に送信する。
すると、中央管理システム３０では、送信された駐車券番号ｋに基づき、駐車券情報部Ｓ１−２の駐車券情報を検索し、少なくとも該当する駐車券発行時刻、精算時刻、精算済み情報を一時記憶部へ記憶する。
【００５１】
この後、不正利用者であるか否かの判断が行われ、不正利用者でなければ、出口ゲートバー１７が開かれて出場が許可され、不正利用者に対しては出場料金（駐車料金）の支払いを指示し、支払いが確認された後出場が許可される。
【００５２】
そこで、不正利用の判断について、図５に示すフローにしたがって説明するが、その前に、この駐車場管理方法および装置では、不正利用として次の▲１▼〜▲３▼の３つの場合を想定している。
すなわち、駐車場での時間管理の概念を図６に示すように、既に説明した▲１▼入場後猶予時間を超過している場合（不正判断用規定時間１）、▲２▼事前精算機２３での事前精算を済ませていない場合、さらに、事前精算した精算時刻から出場口到達時間までの時間が長い場合、例えば駐車券は受け取ったが、駐車場１０を出る前に事前精算を行い、駐車状態としたまま駐車場を出た後、駐車場１０に戻って出庫する場合が想定され、このような場合も駐車料金の大部分の支払いを受けることができなくなることから、精算時刻から出場口到達時間までの時間を精算後猶予時間とし、▲３▼精算後猶予時間を超過している場合（不正判断用規定時間２）を設定して管理するようにしている。
【００５３】
そこで、出場時の不正判断は、まず、入場後猶予時間を超過しているかを判断し、超過している場合には、駐車券発行時刻から入場時刻に相当する時間の不正駐車料金２を算出する。
【００５４】
入場後猶予時間を超過していない場合には、事前精算機２３により駐車料金１の精算を済ませていないかを判断し、事前精算を済ませていない場合には、出場口到達時刻と駐車券発行時刻に相当する駐車料金３を算出する。
この場合には、精算後猶予時間を超過するという不正は起こり得ない（既に出場口に到達しているため）ので、不正駐車料金２と駐車料金３を足し合わせた出場料金２を算出する。そして、この出場料金２を表示し、支払いを指示する。
この出場料金２の支払いが確認された後、出場を許可する。
【００５５】
一方、事前精算を済ませている場合には、精算後猶予時間を超過しているかを判断し、超過している場合には、出場口到達時刻から精算時刻に相当する不正駐車料金４を算出する。
【００５６】
次に、精算後猶予時間を超過している場合も、超過していない場合のいずれの場合も、不正駐車料金２と不正駐車料金４を足し合わせて出場料金１を算出する。
そして、出場料金１が０円であるかを判断（不正がなければ、出場料金１は０円である）し、０円であれば出場を許可する。
出場料金１がある場合には、出場料金１を表示し、支払いを指示する。
そして、出場料金１の支払いを確認後、出場を許可する。
これにより、想定されるいずれの不正利用に対しても駐車料金を算出して支払いを指示し、これを受け取ることができる。
【００５７】
こうして出場口１５からの出場が行われるが、通常の利用者は、出場情報検出装置１９に駐車券を投入するだけで精算の必要がなく、出場が許可されるのを待って出場すれば良く、出場口１５が混雑することがなく、円滑に出場することができる。
【００５８】
また、駐車券の発行を駐車場内で遅らせて行うことおよび遅れて発行した駐車券に基づいて事前精算を行うことによる不正を、出場口で判断することができ、不正利用者に対しては駐車料金の支払いを確認してから出場させることができ、駐車場側が不利益をこうむることを防止できる。
さらに、事前精算のため、利用者が車両番号を覚えておく必要もなく、簡単に事前精算を行なうことができる。
【００５９】
なお、この駐車場管理方法および装置の入場後猶予時間や精算後猶予時間をそれぞれ任意に設定するようにしても良く、例えば入場後猶予時間を長くすれば、商店やデパートなどの付設された駐車場などのように利用者のほとんどが駐車券を取らずに無料で利用できるようにすることができ、時間貸し駐車場として利用する利用者だけが駐車券の発行操作を行うことで、利用者へのサービス用の駐車場と時間貸しの駐車場との併用ができるようになり、また、精算後猶予時間を長くすることで、駐車場に隣接する道路の渋滞状況に対応できるなど、駐車場の様々な運営方法を採用することができる。
【００６０】
次に、この発明の他の一実施の形態について、図面に基づき詳細に説明する。
【００６１  】
この実施の形態では、これまで説明した上記実施の形態の駐車マスへの入庫後駐車券を発行して事前精算や出場口での出場許可を求めるのに代え、駐車場を利用する利用者が所有するカードを用い、この利用者の所有カードの固有の識別情報を利用して駐車券を発行することなく、駐車場を管理するようにしたものであり、既に説明した駐車場管理装置および方法との相違点を主に説明する。
【００６２  】
この利用者の所有するカードとしては、銀行等の金融機関から発行されるカード、クレジットカード、種々の会員カードなど何らかの固有の識別情報、例えば固有の番号などが記載され、あるいは記憶されているものであれば良く、カード自体の内容を読み取ったり、内容を書き換えたりするものでなく、少なくとも番号などを利用できれば足りるものである。
なお、利用者が所有しているカードとしては、上記のクレジットカードなどの会員カードのほか、ＪＲで使われているスイカカード、ＩＣチップなどを有するＩＣ機能つき携帯電話、ＩＣ機能つき免許証などのカードの識別情報を利用するようにしても良い。
【００６３】
駐車券の発行に代えてカードを用いるため、既に説明した駐車券発行機２１や事前精算機２３、出場情報検出装置１９にそれぞれカード読み取り手段としてカード読み取り装置が設けられる。
また、中央管理システム３０としては、既に説明した中央管理システム情報部３１の駐車券情報部Ｓ１‐２に代えて所有媒体情報部が設けられる。
そして、この所有媒体情報部には、駐車券番号などに基づく駐車券情報に代えて所有媒体識別情報に基づき駐車券発行時刻に代わる所有媒体読み込み時刻などが記憶されるようになっている。
なお、他の構成は既に説明した駐車場管理装置と同一である。
【００６４】
このように構成した駐車場管理装置および管理方法では、駐車場１０への入場から入庫までは既に説明した駐車場１０と同様のフローで管理され、入庫を完了した利用者は、駐車券発行機２１の読み取り装置に、所有するカードの固有の識別情報（所有媒体識別情報）、例えば、番号を読み取らせる。
すると、駐車券発行機２１では、駐車券発行時刻に相当する読み込み時刻が設定されるとともに、カードの識別情報が取得され、中央管理システム３０に送信される。
中央管理システム３０では、中央管理システム情報部３１の所有媒体情報部に所有媒体識別情報と読み込み時刻が、既に説明したフローと同様に、記憶される。
【００６５】
また、事前精算を行う場合には、事前精算機２３にカードを読み込ませることで、精算時刻が設定されて、既に説明したフローと同様に、駐車券発行時刻に相当する読み込み時刻とこの精算時刻とで事前精算が行われて精算済み情報が取得される。
さらに、出場口１５では、既に説明した車両識別情報が取得されるとともに、出場口到達時刻が取得されるのに加え、出場情報検出装置１９の読み取り装置にカードが読み込まれると、所有媒体識別情報が読み取られ、中央管理システム３０に送信される。
これにより、既に説明したフローと同様に、各時刻と精算済み情報などに基づいて不正判断が行われ、出場料金の精算を確認した後出場が許可される。
【００６６】
このような駐車場管理装置および方法によれば、既に説明した実施の形態と同様の効果を奏するのに加え、駐車券を発行することなく、個人所有のカードを用いて駐車場を管理することができ、利用者が駐車券を保管する必要もなく一層容易に駐車場を利用することができ、駐車場の管理者も駐車券の発行のための準備や駐車券の回収の必要もなく、管理が容易になる。
【００６７】
なお、この所有者の所有するカードなどを用いる場合にもカード発行者の許可がある場合などには、カードの読み取り時刻（駐車券発行時刻に相当）や精算済み情報などをカードに書き込むようにしても良く、中央管理システム３０の記憶容量を小さくしたり、バックアップとして利用することで信頼性を高めることができる。
【００６８】
【発明の効果】
以上、実施の形態とともに詳細に説明したように、この発明の請求項１記載の駐車場管理方法によれば、駐車場入場時に車両固有の車両識別情報を取得すると同時に、この車両識別情報を取得した時刻を入場時刻として取得しておき、駐車マスへの入庫後に駐車券を発行すると同時に駐車券発行時刻を取得するようにし、この駐車券で、事前精算時に駐車券発行時刻とこの精算時刻とから駐車料金を求めて精算を行って精算済み情報を取得するようにし、駐車場出場時に車両固有の車両識別情報を取得すると同時に、取得した時刻を出場口到達時刻として取得し、精算済み情報や入場時刻と駐車券発行時刻との時間、精算時刻と出場口到達時刻との時間に基づき駐車場の正規利用と不正利用との利用形態を判断して管理するようにしたので、入場口では、車両番号などの車両識別情報を検出するだけで駐車券の発行を必要とせずに混雑を解消でき、事前精算時には、車両番号の入力などを必要とせずに駐車券により精算ができ、出場口では、精算の必要がなく、駐車券の投入などによって出場させることで混雑を解消でき、駐車券の発行を遅らせることや事前に精算することによる不正を、出場口で入場から駐車券発行までの時間や精算後出場までの時間で判断することで不正利用も容易に判断でき、これにより、不正発生も防止することができる。
【００６９】
また、この発明の請求項２記載の駐車場管理方法によれば、前記不正利用を、前記入場時刻から前記駐車券発行時刻までの時間が予め定めた入場後猶予時間を超えていることで判断し、この時間の駐車料金の支払いを確認した後出場を許容するよう管理するので、駐車券の発行を遅らすことによる不正も出場口で防止して管理することができる。
【００７０】
さらに、この発明の請求項３記載の駐車場管理方法によれば、前記不正利用を、前記精算時刻から前記出場口到達時刻までが予め定めた精算後猶予時間を超えていることで判断し、この時間の駐車料金の支払いを確認後出場を許容するよう管理するので、精算後の不正利用も防止して管理することができる。
【００７１】
また、この発明の請求項４記載の駐車場管理方法によれば、前記不正利用を、前記事前精算が行われていない車両とし、前記駐車券発行時刻と前記出場口到達時刻とから駐車料金を算出し、支払いを確認後出場を許容するよう管理するので、事前精算を忘れたり、意図的に事前精算をしない場合でも出場口で料金の徴収などを簡単に行なうことができる。
【００７２】
さらに、この発明の請求項５記載の駐車場管理方法によれば、前記入場後猶予時間と前記精算後猶予時間との少なくともいずれか一方を任意に設定して管理するようにしたので、入場後猶予時間を長くして商店やデパートなどの付設された駐車場などのように利用者のほとんどが駐車券を取らずに無料で利用できるようにしたり、精算後猶予時間を駐車場に隣接する道路の渋滞状況により設定するなど駐車場の様々な運営方法を採用することができる。
【００７３】
また、この発明の請求項６記載の駐車場管理方法によれば、前記駐車券に、前記駐車券発行時刻および事前精算時の前記精算時刻と前記精算済み情報を書き込むようにし、前記駐車場出場時にこの駐車券に書き込まれた情報を読み取って前記利用形態の判断を行って管理するようにしたので、駐車券に各時刻や各情報を書き込むことで中央管理装置での記憶容量などを小さくしたり、中央管理装置のバックアップとして利用することができる。
【００７４】
さらに、この発明の請求項７記載の駐車場管理方法によれば、前記駐車場入場時および出場時に取得する前記車両識別情報を、車両のナンバープレートから取得して管理するようにしたので、画像処理などによって簡単に車両識別情報として車両番号を取得することができる。
【００７５】
また、この発明の請求項８記載の駐車場管理方法によれば、前記駐車場入場時および出場時に取得する前記車両識別情報を、車両から無線で送信される識別コードから取得して管理するようにしたので、高速道路の料金徴収に用いられているＥＴＣ等の車載機、無線ＩＣチップを備えたナンバープレート、車両に取り付けた無線ＩＣチップを備えたタグ、車両内の携帯電話等、車両から送信される識別情報を受信することで簡単に識別情報を取得することができる。
【００７６】
さらに、この発明の請求項９記載の駐車場管理方法によれば、前記駐車券に代え、利用者所有の識別情報を備えたカードを用い、このカードを読み込んで前記駐車券発行時刻に相当するその読み込み時刻を取得するとともに、事前精算時および駐車場出場時にこのカードの識別情報を読み込んで前記精算および前記利用形態の判断を行って管理するようにしたので、利用者が所有しているカード、クレジットカードなどの会員カード、ＪＲで使われているスイカカード、ＩＣチップなどを有するＩＣ機能つき携帯電話、ＩＣ機能つき免許証などのカードの識別情報を読み取ることで、駐車券を発行することなく同様の管理を行うことができ、利用者は駐車券を持ち歩くなどの管理の必要がなく、駐車場側は駐車券自体の供給・回収などを行う必要をなくすことができる。
【００７７】
また、この発明の請求項１０記載の駐車場管理方法によれば、前記利用者所有のカードに、前記読み込み時刻および事前精算時の前記精算時刻と前記精算済み情報を書き込むようにし、前記駐車場出場時にこのカードに書き込まれた情報を読みとって前記利用形態の判断を行って管理するようにしたので、カードに各時刻や各情報を書き込むことで中央管理装置での記憶容量などを小さくしたり、中央管理装置のバックアップとして利用することができる。
【００７８】
さらに、この発明の請求項１１記載の駐車場管理装置によれば、駐車場の入口に設けられ入場する車両固有の車両識別情報を取得するとともに、この取得時刻を入場時刻として取得する車両識別情報取得手段と、駐車マスへの入庫後に駐車券を発行するとともに、その発行時刻を駐車券発行時刻として取得する駐車券発行手段と、この駐車券により駐車料金を事前精算するとともに、その精算時刻および精算済み情報を取得する事前精算手段と、駐車場の出口に設けられ出場する車両固有の車両識別情報を取得するとともに、この取得時刻を出場口到達時刻として取得する車両識別情報取得手段と、駐車場の出口に設けられ前記駐車券が投入され出場情報を検出する出場情報検出手段と、これら各手段から取得した各時刻および各情報を記録するとともに、これら各時刻および各情報に基づき駐車場の正規利用と不正利用との利用形態を判断して管理する中央制御管理手段とを具備して構成したので、駐車場入場時に車両識別情報取得手段で車両固有の車両識別情報を取得すると同時に、この車両識別情報を取得した時刻を入場時刻として取得しておき、駐車マスへの入庫後に駐車券発行手段で駐車券を発行すると同時に駐車券発行時刻を取得するようにし、この駐車券で、事前精算時に駐車券発行時刻とこの精算時刻とから駐車料金を求めて事前精算手段で精算を行って精算済み情報を取得するようにし、駐車場出場時に車両識別情報取得手段で車両固有の車両識別情報を取得すると同時に、取得した時刻を出場口到達時刻として取得し、中央制御管理手段で精算済み情報や入場時刻と駐車券発行時刻との時間、精算時刻と出場口到達時刻との時間に基づき駐車場の正規利用と不正利用との利用形態を判断して管理するすることで、入場口では、車両番号などの車両識別情報を検出するだけで駐車券の発行を必要とせずに混雑を解消でき、精算時には、車両番号の入力などを必要とせずに駐車券により精算ができ、出場口では、精算の必要がなく、駐車券の投入などによって出場させることで混雑を解消でき、駐車券の発行を遅らせることや事前に精算することによる不正を、出場口で入場から駐車券発行までの時間や精算後出場までの時間で判断することで容易に判断でき、これにより、不正発生も防止することができる。
【００７９】
また、この発明の請求項１２記載の駐車場管理装置によれば、前記駐車券発行手段に代え、利用者所有の識別情報を備えたカードを読み込んでその識別情報を取得するとともに、前記駐車券発行時刻に代えてその読み込み時刻を取得するカード読み込み手段を設ける一方、前記事前精算手段および前記出場情報検出手段にカード読み取り手段を設けるようにしたので、利用者が所有しているカード、クレジットカードなどの会員カード、ＪＲで使われているスイカカード、ＩＣチップなどを有するＩＣ機能つき携帯電話、ＩＣ機能つき免許証などのカードの識別情報を利用することで駐車券を発行することなく、駐車券発行手段や事前精算機、出場情報検出手段に設けたカード読み取り手段で読み取ることで、駐車券の場合と同様の管理ができ、利用者が駐車券を持ち歩くなどの管理の必要がなく、駐車場側は駐車券自体の供給・回収などを行う必要をなくすことができる。
【００８０】
さらに、この発明の請求項１３記載の駐車場管理装置によれば、前記駐車場の入口および出口に設けられる前記車両識別情報取得手段を、車両のナンバープレートを読み取るナンバープレート読み取り手段で構成するようにしたので、ナンバープレート読み取り手段による画像処理などによって簡単に車両識別情報として車両番号を取得することができる。
【００８１】
また、この発明の請求項１４記載の駐車場管理装置によれば、高速道路の料金徴収に用いられているＥＴＣ等の車載機、無線ＩＣチップを備えたナンバープレート、車両に取り付けた無線ＩＣチップを備えたタグ、車両内の携帯電話等、車両から送信される識別情報を、車両識別情報受信手段で受信することで簡単に識別情報を取得することができる。
【図面の簡単な説明】
【  図１  】この発明の駐車場管理装置および方法の一実施の形態にかかる概略構成図である。
【  図２  】この発明の駐車場管理装置および方法の一実施の形態にかかる中央管理システムの概略構成図である。
【  図３  】この発明の駐車場管理装置および方法の一実施の形態にかかる駐車場の管理の前半のフロー図である。
【  図４  】この発明の駐車場管理装置および方法の一実施の形態にかかる駐車場の管理の後半のフロー図である。
【  図５  】この発明の駐車場管理装置および方法の一実施の形態にかかる駐車場の不正利用の判断のフロー図である。
【  図６  】この発明の駐車場管理装置および方法の一実施の形態にかかる管理に用いる種々の時間の説明図である。
【符号の説明】
１０  駐車場
１１  入場口
１２  入口ゲート開閉装置
１３  入口ゲートバー
１４  車両情報取得装置
１５  出場口
１６  出口ゲート開閉装置
１７  出口ゲートバー
１８  車両情報取得装置
１９  出場情報検出装置
２０  駐車マス
２１  駐車券発行機
２２  利用者出入口
２３  事前精算機
３０  中央管理システム
３１  中央管理システム情報部
３２  管理用プログラム
３３  情報記憶用プログラム
３４  演算装置
３５  記憶装置
３６  時計装置
３７  通信装置
３８  一時記憶部
Ｓ１‐１  車両情報部
Ｓ１−２  駐車券情報部
【図１】
2004295511.tif 000003
【図２】
2004295511.tif 000004
【図３】
2004295511.tif 000005
【図４】
2004295511.tif 000006
【図５】
2004295511.tif 000007
【図６】
2004295511.tif 000008